(57)【要約】  他の構造物との干渉を容易に抑制することができるソレノイド装置、及び、該ソレノイド装置を備える電磁弁を提供する。連結部材（４）の本体側端部（４１）及び箱側端部（４２）が本体部（３）及び端子箱（５）によって、軸部（４３）に沿った回動軸（Ｏ１）を中心に回動可能に支持され、端子箱５が本体部３に対して回動可能となっていることで、端子箱（５）の入力部（５３）や、入力部（５３）に接続される入力電線の向きを調節することができ、これらが他の構造物と干渉することを容易に抑制することができる。
2017149700.tif 000002
【特許請求の範囲】
【請求項１】
可燃性流体の流量を制御する電磁弁に利用されるソレノイド装置であって、
ソレノイドコイル、プランジャ、並びに、前記ソレノイドコイル及び前記プランジャを収容する本体ケースを有する本体部と、
前記ソレノイドコイルに電力を供給する端子箱と、
前記本体部と前記端子箱とを連結する連結部材と、を備え、
前記連結部材は、前記本体部に支持される本体側端部と、前記端子箱に支持される箱側端部と、を有し、
前記本体側端部と前記箱側端部とのうち少なくとも一方は、前記本体部または前記端子箱によって、当該本体側端部と当該箱側端部とを結ぶ方向に沿った回動軸を中心に回動可能に支持されていることを特徴とするソレノイド装置。
【請求項２】
前記本体側端部と前記箱側端部とのうち少なくとも一方が球状部によって形成されることにより、前記連結部材が前記本体部と前記端子箱とのうち少なくとも一方に対して揺動可能に支持されていることを特徴とする請求項１に記載のソレノイド装置。
【請求項３】
前記本体部と前記端子箱とのうち少なくとも一方は、前記本体部または前記端子箱の内外を連通するように前記球状部の外径よりも小さい内径を有して開口した開口部と、該開口部よりも内側に形成されて前記球状部の外周面に当接する当接支持部と、を備え、
前記球状部は、自然状態において前記当接支持部よりも大きい外径を有し、圧縮変形させられつつ前記開口部を通過するとともに、前記当接支持部を押圧するように支持されることを特徴とする請求項２に記載のソレノイド装置。
【請求項４】
前記連結部材は、前記本体部の内部空間と前記端子箱の内部空間とを連通するとともに電線を挿通可能な貫通孔を有していることを特徴とする請求項１〜３のいずれか１項に記載のソレノイド装置。
【請求項５】
可燃性流体の流量を制御する電磁弁であって、
請求項１〜４のいずれか１項に記載のソレノイド装置と、
前記可燃性流体を収容する収容部材に取り付けられるとともに前記ソレノイド装置によって開閉される弁本体と、を備え、
前記本体ケースは、前記弁本体に向かって開口した筒状に形成されてその側面において前記本体側端部を支持するとともに、前記弁本体に対し、前記プランジャの往復方向に沿った回動軸を中心に回動可能に設けられていることを特徴とする電磁弁。
【発明の詳細な説明】
【技術分野】
【０００１】
本発明は、可燃性流体の流量を制御するためのソレノイド装置、及び、該ソレノイド装置を備える電磁弁に関する。
【背景技術】
【０００２】
一般に、化石燃料等の可燃性気体や可燃性液体（以下、可燃性流体という）を収容する容器に設けられる電磁弁には、所定の防爆性能が要求される。即ち、電磁弁は、ソレノイドコイル及びプランジャを収容する本体部と、ソレノイドコイルに電力を供給するための端子箱と、これらの接続部分と、において外部空間に対する気密性を有する必要がある。このような電磁弁は、容器に対して複数取り付けられることがあり、一の電磁弁における端子箱や端子箱から引き出される電線等が、他の電磁弁等（他の構造物）に干渉してしまうことがあった。【０００３】
そこで、ソレノイドユニット体（本体部）に端子箱が取り付けられるソレノイドバルブ（電磁弁）において、端子箱からの電線の引き出し方向を変更することが提案されている（例えば、特許文献１参照）。特許文献１に記載のソレノイドバルブでは、端子箱がソレノイドユニット体に対して水平方向に並設されるとともに、端子箱が、並設方向に対して斜めに延びて電線を引き出すように構成されている。また、端子箱がボルトによってソレノイドユニット体に固定されている。このボルトを緩めたり取り外したりすることにより、ソレノイドユニット体に対して端子箱を取り付け直し、電線の引き出し方向を変更することができる。
【先行技術文献】
【特許文献】
【０００４】
【特許文献１】特開２００４−２４５３８７号公報
【発明の概要】
【発明が解決しようとする課題】
【０００５】
しかしながら、特許文献１に記載のソレノイドバルブにおいて電線の引き出し方向を変更するためには、上記のようにボルトを一旦緩めたり外したりする必要があり、ボルトを再度締め付ける際、ソレノイドバルブが所定の防爆性能を有するように締付トルクを管理しなければならない。即ち、端子箱を取り付け直した場合、ソレノイドバルブが出荷段階と同様の防爆性能を有するように、所定の知識や技能を有する作業者がボルトを締め付ける必要があり、容易に端子箱の向きを変更することができなかった。【０００６】
本発明の目的は、他の構造物との干渉を容易に抑制することができるソレノイド装置、及び、該ソレノイド装置を備える電磁弁を提供することにある。
【課題を解決するための手段】
【０００７】
本発明のソレノイド装置は、可燃性流体の流量を制御する電磁弁に利用されるソレノイド装置であって、ソレノイドコイル、プランジャ、並びに、前記ソレノイドコイル及び前記プランジャを収容する本体ケースを有する本体部と、前記ソレノイドコイルに電力を供給する端子箱と、前記本体部と前記端子箱とを連結する連結部材と、を備え、前記連結部材は、前記本体部に支持される本体側端部と、前記端子箱に支持される箱側端部と、を有し、前記本体側端部と前記箱側端部とのうち少なくとも一方は、前記本体部または前記端子箱によって、当該本体側端部と当該箱側端部とを結ぶ方向に沿った回動軸を中心に回動可能に支持されていることを特徴とする。【０００８】
以上のような本発明によれば、連結部材における本体側端部と箱側端部とのうち少なくとも一方が、本体部または端子箱によって、これらを結ぶ方向を中心に回動可能に支持されていることで、端子箱を本体部に対して回動させることができる。従って、端子箱や、端子箱に接続される部材（例えば電線）の向きを調節することができ、これらが他の構造物と干渉することを容易に抑制することができる。このとき、本体部と端子箱とが連結部材を介して連結され、回動可能となっていることから、電線等の向きを調節する際に端子箱を本体部に対して取り付け直す必要がなく、防爆性能を維持することができる。【０００９】
この際、本発明のソレノイド装置では、前記本体側端部と前記箱側端部とのうち少なくとも一方が球状部によって形成されることにより、前記連結部材が前記本体部と前記端子箱とのうち少なくとも一方に対して揺動可能に支持されていることが好ましい。このような構成によれば、連結部材が本体部と端子箱とのうち少なくとも一方に対して揺動可能に支持されていることで、本体部に対して連結部材および端子箱の両方を揺動させたり、本体部および連結部材に対して端子箱を揺動させたりすることができ、本体部に対する端子箱の配置の自由度を向上させ、他の構造物との干渉をさらに抑制しやすくすることができる。【００１０】
また、本発明のソレノイド装置では、前記本体部と前記端子箱とのうち少なくとも一方は、前記本体部または前記端子箱の内外を連通するように前記球状部の外径よりも小さい内径を有して開口した開口部と、該開口部よりも内側に形成されて前記球状部の外周面に当接する当接支持部と、を備え、前記球状部は、自然状態において前記当接支持部よりも大きい外径を有し、圧縮変形させられつつ前記開口部を通過するとともに、前記当接支持部を押圧するように支持されることが好ましい。【００１１】
このような構成によれば、球状部を、開口部を通過するように圧入し、当接支持部によって支持させることができる。また、球状部が当接支持部を押圧しつつ支持されることで、外部に対する気密性を向上させ、防爆性能を確保しやすくすることができる。【００１２】
また、本発明のソレノイド装置では、前記連結部材は、前記本体部の内部空間と前記端子箱の内部空間とを連通するとともに電線を挿通可能な貫通孔を有していることが好ましい。このような構成によれば、連結部材が電線を挿通可能な貫通孔を有することで、連結部材と電線とを独立に変形させたり動作させたりすることができ、本体部に対して端子箱を回動させる際に電線に加わる負荷を低減することができる。【００１３】
本発明の電磁弁は、可燃性流体の流量を制御する電磁弁であって、前記いずれかに記載のソレノイド装置と、前記可燃性流体を収容する収容部材に取り付けられるとともに前記ソレノイド装置によって開閉される弁本体と、を備え、前記本体ケースは、前記弁本体に向かって開口した筒状に形成されてその側面において前記本体側端部を支持するとともに、前記弁本体に対し、前記プランジャの往復方向に沿った回動軸を中心に回動可能に設けられていることを特徴とする。【００１４】
このような本発明によれば、収容部材に取り付けられた際に、上記のように端子箱等と他の構造物との干渉を容易に抑制するとともに充分な防爆性能を確保することができる。さらに、側面において連結部材を支持する筒状の本体ケースが弁本体に対して回動可能に構成されていることで、弁本体に対する端子箱の配置の自由度を向上させることができ、他の構造物との干渉をより一層抑制しやすくすることができる。
【発明の効果】
【００１５】
以上のような本発明のソレノイドバルブ及び弁装置によれば、本体部と端子箱とを連結する連結部材の端部が回動可能に支持されていることで、端子箱を本体部に対して回動させることができ、他の構造物との干渉を容易に抑制することができる。
【図面の簡単な説明】
【００１６】
【図１】本発明の実施形態に係る電磁弁を示す正面図である。
【図２】前記電磁弁を示す上面図である。
【図３】前記電磁弁を示す側面図である。
【図４】前記電磁弁を示す断面図である。
【図５】前記電磁弁の要部を示す断面図である。
【図６】前記電磁弁において本体部に対して端子箱を回動させた様子を示す正面図である。
【図７】前記本体部に対して連結部材及び前記端子箱を揺動させた様子を示す断面図である。
【図８】前記本体部及び前記連結部材に対して前記端子箱を揺動させた様子を示す断面図である。
【図９】変形例の電磁弁の要部を示す断面図である。
【発明を実施するための形態】
【００１７】
以下、本発明の各実施形態を図面に基づいて説明する。本実施形態の電磁弁１は、図１〜３に示すように、可燃性流体を収容する収容部材としての容器Ｃに設けられて可燃性流体の流量を制御するものであって、容器Ｃに取り付けられる弁本体２と、弁本体２に組み付けられる本体部３と、本体部３に接続される連結部材４と、連結部材４を介して本体部３に連結される端子箱５と、を備える。尚、電磁弁１は可燃性流体を収容する他の収容部材（例えば配管）等に設けられてもよい。また、本実施形態では、本体部３の後述するプランジャ３２の往復方向をＺ方向とし、Ｚ方向に略直交するとともに互いに略直交する２方向をＸ方向及びＹ方向とする。また、Ｚ方向が鉛直方向に沿うとともに容器Ｃに対して電磁弁１は上方に配置されているものとする。
【００１８】
弁本体２は、図４に示すように、容器Ｃに固定される容器固定部２１と、本体部３が固定される本体固定部２２と、Ｚ方向に沿って延びる第１通路部２３及び第２通路部２４と、弁座２５と、を有する。容器固定部２１は、例えばボルトが挿通される挿通孔である。また、本体固定部２２は、例えばボルトと螺合するボルト孔である。
【００１９】
第１通路部２３及び第２通路部２４は、弁本体２全体をＺ方向に沿って貫通するように形成され、上方側において本体部３に向かって開口するとともに、下方側において容器Ｃに向かって開口している。また、弁本体２におけるＸ方向の略中央に第１通路部２３が形成され、第１通路部２３に隣り合うように第２通路部２４が形成されている。このような第１通路部２３の上方側の開口に弁座２５が設けられている。
【００２０】
本体部３は、ソレノイドコイル３１と、プランジャ３２と、スプリング３３と、土台部３４と、支持軸部３５と、本体ケース３６と、を有する。ソレノイドコイル３１には、通電用の電線１０が接続されている。ソレノイドコイル３１が通電されることにより、Ｚ方向に沿ってプランジャ３２が移動する。プランジャ３２は、その先端に弁体３２１を有し、弁体３２１が弁座２５に着座および離座するようになっている。スプリング３３は、Ｚ方向を軸方向とする逆円錐台状に形成され、その上端が土台部３４に固定され又は当接するとともに、その下端がプランジャ３２の先端（下端）によって係止され、プランジャ３２を下方に付勢するように設けられている。
【００２１】
即ち、ソレノイドコイル３１が通電されていない状態において弁体３２１が弁座２５に着座し、ソレノイドコイル３１が通電されることにより、プランジャ３２が上方に移動して弁体３２１が弁座２５から離座するようになっている。尚、スプリング３３がプランジャ３２を上方に付勢するとともにソレノイドコイル３１の通電によってプランジャ３２が下方に移動する構成としてもよい。
【００２２】
土台部３４は、弁本体２の上面に重ねられる円盤状の土台板部３４１と、土台板部３４１よりも小さい外径を有して上方に向かって円柱状に延びる土台本体３４２と、を有する。土台板部３４１は、ボルトによって弁本体２に固定される。土台本体３４２は、ソレノイドコイル３１を下方から支持するとともに、下方において開口した凹状の連通空間３４Ａを形成する。また、土台本体３４２の側面にはＯリング等の気密部材３４３が設けられている。
【００２３】
連通空間３４Ａには、弁体３２１、スプリング３３及び弁座２５が設けられるとともに、第１通路部２３及び第２通路部２４が連通している。即ち、弁体３２１が弁座２５に着座して弁閉状態となっている場合、第１通路部２３と第２通路部２４とが遮断される。また、弁体３２１が弁座２５から離座して弁開状態となっている場合、第１通路部２３と第２通路部２４とが連通される。
【００２４】
支持軸部３５は、プランジャ３２と同軸上に配置され、ソレノイドコイル３１の内側から上方に突出するように円柱状に延び、ソレノイドコイル３１を上方から支持する。また、支持軸部３５の側面には気密部材３５１が設けられている。
【００２５】
本体ケース３６は、下方側において開口するとともにＺ方向を軸方向とする有底円筒状に形成されている。本体ケース３６は、下方側の開口を塞ぐように土台部３４に取り付けられ、その内側にソレノイドコイル３１及びプランジャ３２を収容する。このとき、土台本体３４２の外周面が本体ケース３６の内周面に当接する。また、本体ケース３６の底部３６１には開口が形成され、この開口に支持軸部３５が挿通される。土台本体３４２の側面に気密部材３４３が設けられ、支持軸部３５の側面に気密部材３５１が設けられていることにより、本体ケース３６は、その上下の開口において外部空間に対する気密性が確保されるようになっている。
【００２６】
本体ケース３６の筒状部３６２の先端近傍には、イモネジ等の回り止め用のピン部材６が挿通されるピン挿通部３６３が形成され、ピン部材６によって土台部３４を押圧することにより、土台部３４に対して本体ケース３６が回転することが規制される。さらに、底部３６１には、Ｅリング等の回り止め部材７が設けられ、支持軸部３５に対して本体ケース３６が回転することが規制される。
【００２７】
筒状部３６２の側面には、図５にも示すように、連結部材４を支持するための球支持部３６４が形成されている。図１〜４は、電磁弁１において球支持部３６４がＸ方向の一方側に位置するように、本体ケース３６が配置された様子を示している。球支持部３６４は、本体ケース３６の内外を連通するように開口した開口部３６５と、開口部３６５よりも内側に形成されて後述する球状部４１Ａの外周面に当接する当接支持部３６６と、を有する。また、筒状部３６２のうち球支持部３６４近傍には、当接支持部３６６と外部空間とを連通するとともに回り止め用のピン部材６が挿通されるピン挿通部３６７が形成されている。
【００２８】
筒状部３６２には、当接支持部３６６よりもさらに内側に、ソレノイドコイル３１に接続される電線１０を収容する収容部３６２Ａが形成されている。収容部３６２Ａにおいて、電線１０は余長部１１を有して収容されている。
【００２９】
連結部材４は、本体ケース３６の球支持部３６４に支持される本体側端部４１と、端子箱５の後述する球支持部５１４に支持される箱側端部４２と、直線状に延びて本体側端部４１と箱側端部４２とを接続する（即ち本体側端部４１と箱側端部４２とを結ぶ方向に延びる）軸部４３と、を有する。本体側端部４１及び箱側端部４２はそれぞれ球状部４１Ａ、４２Ａによって形成され、連結部材４全体がアレイ状に形成されている。
【００３０】
連結部材４には、本体側端部４１から軸部４３を通って箱側端部４２に亘るように全体を貫通する貫通孔４４が形成され、ソレノイドコイル３１に接続された電線１０が挿通されるようになっている。また、貫通孔４４が形成されることにより、球状部４１Ａ、４２Ａが外圧によって圧縮変形可能に構成されている。
【００３１】
端子箱５は、端子ケース体５１と、ソレノイドコイル３１に接続された電線１０が接続される電線接続部５２と、外部から電力が供給される入力部５３と、を有する。
【００３２】
端子ケース体５１は、有底円筒状のケース部５１１と、ケース部５１１の開口を塞ぐ蓋部５１２と、を有する。ケース部５１１の底部５１３には、球支持部５１４が形成されている。この球支持部５１４は、本体ケース３６の球支持部３６４と同様に、開口部５１５と当接支持部５１６とを有し、この近傍にピン挿通部５１７が形成されている。
【００３３】
電線接続部５２は、導電性の端子金具５２１とネジ５２２とによって電線１０を挟み込むように構成されている。即ち、ソレノイドコイル３１に接続された電線１０が、連結部材４の貫通孔４４を通過して端子箱５内に導入され、電線接続部５２に接続されるようになっている。また、電線接続部５２は入力部５３に電気的に接続されており、電線１０が入力部５３に電気的に接続され、即ちソレノイドコイル３１と入力部５３とが電気的に接続される。
【００３４】
入力部５３は、ケース部５１１の側面部５１８から突出するように設けられ、ソレノイドコイル３１に電力を供給するための図示しない入力電線が接続される。例えば図１に示すように入力部５３がＹ方向の手前側に延びている場合には、入力部５３に接続された入力電線もＹ方向の手前側に向かって延びる。また、入力部５３は例えば入力電線に接続される端子金具が絶縁樹脂にモールドされ、入力部５３において端子ケース体５１が外部空間に連通しないようになっている。
【００３５】
以上のような本体部３と、連結部材４と、端子箱５と、がソレノイド装置１００を構成し、弁本体２の弁座２５を開閉する。
【００３６】
ここで、連結部材４の本体側端部４１と、本体部３の球支持部３６４と、の寸法の関係について説明する。球支持部３６４の開口部３６５が略円形に形成されるとともに、その内径は、球状部４１Ａの外径よりも小さい。尚、開口部３６５は円形でなくてもよく、例えばオーバル形状であれば、その長径が球状部４１Ａの外径よりも小さければよい。また、球支持部３６４の当接支持部３６６の内周面が球状に形成されるとともに、その内径が球状部４１Ａの外径よりも小さい。
【００３７】
球状部４１Ａは開口部３６５を通過可能な弾性を有しており、開口部３６５の開口面に対して略垂直な力によって連結部材４を押し付けることにより、球状部４１Ａを圧縮変形させて球支持部３６４に圧入することができるようになっている。また、圧入された球状部４１Ａは当接支持部３６６を押圧し、気密性が保たれる。
【００３８】
連結部材４の箱側端部４２と、端子箱５の球支持部５１４と、の寸法の関係は、連結部材４の本体側端部４１と、本体部３の球支持部３６４と、の寸法の関係と同様である。従って、圧入によって球状部４２Ａを球支持部５１４に支持させることができ、球状部４２Ａが当接支持部５１６を押圧し、気密性が保たれる。
【００３９】
以上の構成により、本体部３の本体ケース３６の内部空間Ｓ１と、端子箱５の端子ケース体５１の内部空間Ｓ２と、が連結部材４の貫通孔４４を介して連通されるとともに、これらの空間Ｓ１、Ｓ２が外部空間に対して気密性を有し、即ち所定の防爆性能を有する。
【００４０】
上記のように球支持部３６４に支持された球状部４１Ａは、当接支持部３６６に対して摺動することができる。即ち、連結部材４は本体ケース３６に対し、球状部４１Ａの中心を通る任意の揺動軸を中心に揺動したり、軸部４３に沿った回動軸Ｏ１を中心に回動したりすることができる。このとき、図示しない回動規制部が設けられることにより、回動軸Ｏ１を中心とする回動は、回動可能範囲が例えば３５０°となり、１回転以上しないようになっている。
【００４１】
球支持部３６４に支持された球状部４１Ａが、球支持部３６４のピン挿通部３６７に挿通されたピン部材６によって押圧されることにより、当接支持部３６６に対する球状部４１Ａの摺動が規制される。即ち、本体ケース３６に対する連結部材４の揺動や回動が規制される。
【００４２】
同様に、球支持部５１４に支持された球状部４２Ａは、当接支持部５１６に対して摺動することができる。即ち、連結部材４は端子ケース体５１に対し、球状部４２Ａの中心を通る任意の揺動軸を中心に揺動したり、回動軸Ｏ１を中心に回動したりすることができるように、球状部４２Ａが支持されている。このとき、図示しない回動規制部が設けられることにより、回動軸Ｏ１を中心とする回動は、回動可能範囲が例えば３５０°となり、１回転以上しないようになっている。
【００４３】
球支持部５１４に支持された球状部４２Ａが、球支持部５１４のピン挿通部５１７に挿通されたピン部材６によって押圧されることにより、当接支持部５１６に対する球状部４２Ａの摺動が規制される。即ち、端子ケース体５１に対する連結部材４の揺動や回動が規制される。
【００４４】
以下、電磁弁１の各部の動作について説明する。上記のように、連結部材４が回動軸Ｏ１を中心として本体部３及び端子箱５に対して回動可能に支持されていることで、ピン部材６を緩めることにより、端子箱５が本体部３に対して回動可能となる。例えば、図１に示すように回動軸Ｏ１がＸ方向に沿うとともに入力部５３がＹ方向の手前側を向いている状態から、入力部５３がＺ方向の上方側を向くように本体部３に対して端子箱５を９０°だけ回動させた様子を図６に示す。このとき、連結部材４を本体部３に対してのみ回動させてもよいし、端子箱５に対してのみ回動させてもよいし、両方に対して回動させてもよい。即ち、本体部３に対して連結部材４及び端子箱５の両方を回動させてもよいし、本体部３及び連結部材４に対して端子箱５のみを回動させてもよい。また、回動軸Ｏ１がＸ方向以外の方向を向いている場合も同様に、端子箱５を本体部３に対して回動させることができる。
【００４５】
このように本体部３に対して端子箱５を回動させる際の回動可能範囲は、連結部材４の本体部３及び端子箱５に対する回動可能範囲の合計となり、本実施形態では７００°となる。本体部３に対して端子箱５が回動した際に電線１０が引っ張られるものの、余長部１１が設けられていることにより、電線１０に加わる負荷が低減される。尚、本体部３に対する端子箱５の回動可能範囲は適宜に設定されていればよく、３６０°以上であることが好ましいが、余長部１１が短い場合には、３６０°未満であってもよい。
【００４６】
また、連結部材４が本体部３に対して揺動可能に設けられていることで、本体部３に対して連結部材４及び端子箱５の両方が揺動可能となる。例えば、図４に示すように本体部３に対して端子箱５がＸ方向に並んだ状態から、本体部３に対し、Ｙ方向に沿った揺動軸Ｏ２を中心に連結部材４を揺動させることにより、端子箱５を上方に揺動させた様子を図７に示す。このとき、端子箱５に設けられたピン部材６は緩められていないものとする。
【００４７】
さらに、連結部材４が端子箱５に対して揺動可能に設けられていることで、本体部３及び連結部材４に対して端子箱５が揺動可能となる。例えば、図７に示す状態から、Ｙ方向に沿った揺動軸Ｏ３を中心に端子箱５を揺動させることにより、端子箱５をさらに上方に揺動させた様子を図８に示す。図７、８においては説明の都合上、電線１０を省略している。
【００４８】
尚、揺動軸はＹ方向に沿ったものに限られず、他の方向を向いていてもよい。即ち、端子箱５は三次元的に揺動可能である。また、連結部材４の軸部４３が本体部３及び端子箱５に干渉することにより、揺動可能な範囲が制限される。
【００４９】
また、球状部４１Ａ、４２Ａが当接支持部３６６、５１６を押圧することによって本体部３及び端子箱５の内部空間Ｓ１、Ｓ２の外部空間に対する気密性が保たれるようになっていることから、上記のような電磁弁１の各部の動作後においても、動作前と同様の防爆性能が維持される。即ち、ボルト等の締め付けによって気密性を保つ構成でないことから、動作後に締付トルクを管理する必要がなく、所定の知識や技能を有する作業者であっても電磁弁１の各部を動作させることができるようになっている。
【００５０】
このような本実施形態によれば、以下のような効果がある。即ち、連結部材４の本体側端部４１及び箱側端部４２が本体部３及び端子箱５によって、軸部４３に沿った回動軸Ｏ１を中心に回動可能に支持され、端子箱５が本体部３に対して回動可能となっていることで、端子箱５の入力部５３や、入力部５３に接続される入力電線の向きを調節することができ、これらが他の構造物と干渉することを容易に抑制することができる。
【００５１】
また、本体部と端子箱とを直接連結する構成と比較して、連結部材４の端部４１、４２と、本体部３及び端子部５と、の連結構造を簡略化することができ、連結部材４の端部４１、４２を回動可能に支持しても気密性を確保しやすい。
【００５２】
さらに、連結部材４が本体部３及び端子箱５に対して揺動可能に支持され、本体部３に対して連結部材４及び端子箱５の両方が揺動可能であり、本体部３及び連結部材４に対して端子箱５が揺動可能であることで、本体部３に対する端子箱５の配置の自由度を向上させ、他の構造物との干渉をさらに抑制しやすくすることができる。
【００５３】
さらに、球状部４１Ａ、４２Ａが球支持部３６４、５１４に対して圧入可能に構成されていることで、連結部材４の本体側端部４１及び箱側端部４２を本体部３及び端子箱５に容易に支持させることができる。
【００５４】
さらに、側面において連結部材４を支持する筒状の本体ケース３６が、弁本体２に対してＺ方向に沿った回動軸を中心に回動可能に構成されていることで、弁本体２に対する端子箱５の配置の自由度を向上させることができ、他の構造物との干渉をより一層抑制しやすくすることができる。
【００５５】
なお、本発明は、前記実施形態に限定されるものではなく、本発明の目的が達成できる他の構成等を含み、以下に示すような変形等も本発明に含まれる。
【００５６】
例えば、前記実施形態では、連結部材４の本体側端部４１及び箱側端部４２が球状部４１Ａ、４２Ａによって構成される、即ち、連結部材４の本体部３による支持構造と、端子箱５による支持構造と、のいずれもが回動機能および揺動機能を有するものとしたが、少なくとも一方の支持構造が回動機能を有していればよく、揺動機能は、両方の支持構造に設けられていてもよいし、一方の支持構造に設けられていてもよいし、設けられていてなくてもよい。
【００５７】
回動機能のみを有する支持構造としては、図９に示すように、連結部材４Ａが円盤状の本体側端部４５を有し、本体部３Ａの本体ケース３６Ａが、本体側端部４５を支持する支持部３６８を有する構成が例示される。このとき、例えば本体側端部４５の側面が支持部３６８の内周面を押圧することで気密性が確保されていればよい。また、例えば本体側端部４５の側面に回り止め用のピン部材６が当接し、回動可能な状態と回動不能な状態とを切換可能に構成されていることが好ましい。支持構造が回動機能も揺動機能も有していない場合には、連結部材の端部が本体部または端子箱に固定されていればよい。
【００５８】
また、前記実施形態では、本体部３の球支持部３６４及び端子箱５の球支持部５１４のが、連結部材４の球状部４１Ａ、４１Ｂの外径よりも小さい内径を有する開口部３６５、５１５を備え、本体側端部４１及び箱側端部４２が圧入によって支持されるものとしたが、連結部材の端部は、圧入以外の方法によって支持されてもよい。例えば、本体部の本体ケースや端子箱の端子ケース体が分割可能な複数の部品によって構成され、これらの部品を組み付けることによって連結部の端部が支持される構成としてもよい。
【００５９】
また、前記実施形態では、連結部材４が貫通孔４４を有するとともに、ソレノイドコイル３１が電線１０によって入力部５３と電気的に接続されるものとしたが、ソレノイドコイル３１に電力を供給するための構成はこれに限定されない。例えば、連結部材の内側に、棒状の導体部が設けられ、ソレノイドコイルと導体部とが電線等によって電気的に接続されるとともに、導体部と入力部とが電線等によって電気的に接続される構成としてもよい。
【００６０】
また、前記実施形態では、本体ケース３６が弁本体２に対して回動可能であるものとしたが、回動不能となっていてもよい。このとき、弁本体の容器Ｃに対する取り付け向きが変更可能に構成されていれば、容器に対する端子箱の配置を変更することができ、他の構造物との干渉を抑制することができる。
【００６１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６２】
１      電磁弁
２      弁本体
２５    弁座
２３    第１通路部
２４    第２通路部
３      本体部
３１    ソレノイドコイル
３２    プランジャ
３２１  弁体
３６    本体ケース
３６５  開口部
３６６  当接支持部
４      連結部材
４１    本体側端部
４１Ａ  球状部
４２    箱側端部
４２Ａ  球状部
５      端子箱
５１５  開口部
５１６  当接支持部
Ｓ１    内部空間
Ｓ２    内部空間
Ｃ      容器（収容部材）
【図１】
2017149700.tif 000003
【図２】
2017149700.tif 000004
【図３】
2017149700.tif 000005
【図４】
2017149700.tif 000006
【図５】
2017149700.tif 000007
【図６】
2017149700.tif 000008
【図７】
2017149700.tif 000009
【図８】
2017149700.tif 000010
【図９】
2017149700.tif 000011
【国際調査報告】
2017149700.tif 000012
2017149700.tif 000013